(57)【要約】【課題】微物の採取箇所の形態に左右されず十分な採取量の微物を採取でき、異物の混入を防止して簡易かつ容易に微物を採取できる微物採取用具及び微物採取方法を提供すること。【解決手段】犯罪現場等に存在する微物やDNA型鑑定の資料を採取するための微物採取用具であって、粘着樹脂のゲルシートからなる粘着部３０と少なくとも一端に前記粘着部３０が取着される操作部２０とからなる本体部１０と、前記粘着部３０に貼着される第１保護シート４０と、前記粘着部３０に被覆される保護キャップ６０と、当該保護キャップ６０に貼着される第２保護シート７０とからなることを特徴とする微物採取用具１００。【選択図】図１
2011117915.tif 000002
【特許請求の範囲】
【請求項１】
犯罪現場等に存在する微物やDNA型鑑定の資料を採取するための微物採取用具であって、粘着樹脂のゲルシートからなる粘着部と少なくとも一端に前記粘着部が取着される操作部とからなる本体部と、前記粘着部に貼着される第１保護シートと、前記粘着部に被覆される保護キャップと、当該保護キャップに貼着される第２保護シートとからなることを特徴とする微物採取用具。
【請求項２】
ゲルシートがゴム硬度３０以下のポリウレタンゲルシートであることを特徴とする請求項１に記載の微物採取用具。
【請求項３】
保護キャップの底部に突条が設けられてなることを特徴とする請求項１又は請求項２に記載の微物採取用具。
【請求項４】
微物がDNA型鑑定の資料又は繊維くずであることを特徴とする請求項１〜請求項３のいずれか１項に記載の微物採取用具。
【請求項５】
請求項１〜請求項４のいずれか１項に記載の微物採取用具に用いられる、第１保護シートが粘着部に貼着されてなることを特徴とする本体部。
【請求項６】
請求項１〜請求項４のいずれか１項に記載の微物採取用具に用いられる、第２保護シートが貼着されてなることを特徴とする保護キャップ。
【請求項７】
犯罪現場等に存在する微物やDNA型鑑定の資料を採取する微物採取方法であって、粘着樹脂のゲルシートからなる粘着部と少なくとも一端に前記粘着部が取着される操作部とからなる本体部の前記粘着部に貼着された第１保護シートを剥離・除去する過程と、前記操作部を用いて採取箇所から前記粘着部で微物を採取する過程と、微物の採取後、保護キャップに貼着される第２保護シートを剥離・除去する過程と、前記保護キャップで前記粘着部を被覆する過程とを有することを特徴とする微物採取方法。
【請求項８】
ゲルシートがゴム硬度３０以下のポリウレタンゲルシートであることを特徴とする請求項７に記載の微物採取方法。
【請求項９】
微物がDNA型鑑定の資料又は繊維くずであることを特徴とする請求項７又は請求項８に記載の微物採取方法。
【発明の詳細な説明】
【技術分野】
【０００１】
本発明は、犯罪現場等に存在する繊維くず、塗膜片等の微物やDNA型鑑定の資料を採取するための微物採取用具及び微物採取方法に関する。
【背景技術】
【０００２】
近年、犯罪は悪質化、巧妙化してきており、犯罪現場等に存在する微物を採取し、これを鑑定・検査する微物鑑識は、犯人の特定や犯罪を立証する上で重要な鑑識活動と位置づけられる。また、今日、個々人のDNAに異なる部分があることに着目し、DNA多型領域を検査するDNA型鑑定は技術の進歩により高い精度で個人鑑別が可能となったため、犯罪を解決する証拠としてますますその重要性が増し、実施状況も年々増加している状況にあり、犯罪現場等におけるDNA型鑑定の資料の採取は重要である。
ところが、微物鑑識を行う場合、微物の採取量が十分でないと鑑定・検査が困難となることがある。また、微物を採取する際に異物が混入すると正しい鑑定・検査の結果が得られないことや鑑定・検査が困難となることがある。特に、DNA型鑑定は、採取対象の資料に他人の資料が混入すると判定が困難となる。したがって、微物の採取は、十分な採取量の微物を採取し、異物の混入を防止して行うことが求められる。
【０００３】
従来、微物の採取は、市販の接着テープやリタックシートを用いて行われている。また、微物を採取するための提案がある。例えば、繊維片や毛髪や土砂等の微物を静電気により吸着して採取する微物吸着採取装置がある（特許文献１参照）。また、静電気が発生及び滞電し易い透明な合成樹脂シートの裏面に微弱な粘着力を有する粘着層を設け、粘着層に離型紙を重合させた微物採取フィルムがある（特許文献２参照）。
【先行技術文献】
【特許文献】
【０００４】
【特許文献１】特開２００９−２４０１０１号公報
【特許文献２】実開平１−１３７４５２号公報
【発明の概要】
【発明が解決しようとする課題】
【０００５】
しかし、市販の接着テープやリタックシートで微物を採取する場合、粘着性が低いため十分な採取量の微物を採取できないことや、微物の採取箇所の凹凸面への追随性が低いため採取箇所の形態によっては十分な採取量の微物を採取できないことがあった。また、粘着面に異物が混入することがあり、特にDNA型鑑定の資料の採取には、細心の注意を払っても他人の資料が混入することがあった。接着テープやリタックシートに粘着した微物は剥離しにくいため、微物を剥離させ顕微鏡等の鑑定機器で鑑定・検査する場合に支障をきたすことがあった。一方、特許文献１に記載の微物吸着採取装置及び特許文献２に記載の微物採取フイルムは、静電気で微物を採取するため、微物の採取箇所の形態に左右されず微物を採取できても、異物が混入しやすいということがあった。特許文献１に記載の微物吸着採取装置及び特許文献２に記載の微物採取フイルムは、微物としてDNA型鑑定の資料を採取することは困難であった。特許文献１に記載の微物吸着採取装置は、装置の面倒なセッティングが必要であり、また、特許文献２に記載の微物採取フイルムは剥離紙を剥離し静電気を発生させシートに滞電させることが必要であるため、いずれも専門家の鑑識担当者でないと取り扱いが難しいということがあった。
【０００６】
本発明は、上記の事情に鑑みなされたもので、微物の採取箇所の形態に左右されず十分な採取量の微物を採取でき、異物の混入を防止して簡易かつ容易に微物を採取できる微物採取用具及び微物採取方法を提供することを課題とする。
【課題を解決するための手段】
【０００７】
上記の課題を解決するため、本発明者等は鋭意検討を重ね、本発明を完成した。すなわち、本発明は、犯罪現場等に存在する微物やDNA型鑑定の資料を採取するための微物採取用具であって、粘着樹脂のゲルシートからなる粘着部と少なくとも一端に前記粘着部が取着される操作部とからなる本体部と、前記粘着部に貼着される第１保護シートと、前記粘着部に被覆される保護キャップと、当該保護キャップに貼着される第２保護シートとからなることを特徴とする微物採取用具を要旨とする。この構成により、微物の採取箇所の形態に左右されず十分な採取量の微物を異物の混入を防止しつつ簡易かつ容易に採取できる。ここで、微物とは、犯罪現場、その他犯罪に関連すると認められる場所、人及び物に存在する微少、微細、微量なもので、例えば、繊維くず、塗膜片、ガラス片、土壌、花粉、種子等の資料や唾液、血液、血痕、体液、骨、組織片、爪、毛髪等のDNA型鑑定の資料となるものをいう。
【０００８】
上記の発明において、ゲルシートをゴム硬度３０以下のポリウレタンゲルシートとしてもよい。この構成により、粘着部の採取箇所の凹凸面への追随性が高まる。ここで、粘着部の採取箇所の凹凸面への追随性とは、採取箇所の凹凸のある面の形態に応じて押圧により粘着部が変形する性状をいう。保護キャップの底部に突条を設けてもよい。この構成により、粘着部で採取された微物が保護キャップの底部に接触・付着することを防止できる。微物をDNA型鑑定の資料又は繊維くずとしてもよい。この構成により、犯罪を立証する有力な証拠を得ることができる。
【０００９】
上記の微物採取用具に用いられる、第１保護シートが粘着部に貼着されてなることを特徴とする本体部を要旨とする。この構成により、操作部を用い粘着部を所定の採取箇所に導き押圧するという微物を採取する操作が簡易で容易となり、また異物の混入を防止して微物の採取ができる。
【００１０】
上記の微物採取用具に用いられる、第２保護シートが貼着されてなることを特徴とする保護キャップを要旨とする。この構成により、微物を採取した粘着部に異物が混入することを防止できる。
【００１１】
犯罪現場等に存在する微物やDNA型鑑定の資料を採取する微物採取方法であって、粘着樹脂のゲルシートからなる粘着部と少なくとも一端に前記粘着部が取着される操作部とからなる本体部の前記粘着部に貼着された第１保護シートを剥離・除去する過程と、前記操作部を用いて採取箇所から前記粘着部で微物を採取する過程と、微物の採取後、保護キャップに貼着される第２保護シートを剥離・除去する過程と、前記保護キャップで前記粘着部を被覆する過程とを有することを特徴とする微物採取方法を要旨とする。
【００１２】
上記の発明において、ゲルシートをゴム硬度３０以下のポリウレタンゲルシートとしてもよい。微物をDNA型鑑定の資料又は繊維くずとしてもよい。
【発明の効果】
【００１３】
本発明の微物採取用具は、粘着部の粘着性、剥離性及び微物の採取箇所の凹凸面への追随性に優れ、微物の採取箇所の形態に左右されず十分な採取量の微物を採取でき、また小さな面積の採取箇所から広範囲の微物を採取できるので、微物鑑識の向上に資することができる。また、異物の混入を防止して微物を採取できるので、微物鑑識の向上に資することができる。さらに、微物の採取が簡易かつ容易に行えるので、専門家の鑑識担当者以外の者も微物を採取できる。
【００１４】
本発明の微物採取用具に用いる本体部は、第１保護シートが貼着された粘着部が操作部に取着され、操作部を用い粘着部を所定の採取箇所に導き押圧するという微物を採取する操作が簡易で容易となるので、粘着部が粘着性と微物の採取箇所の凹凸面への追随性に優れることと相まって十分な採取量の微物を異物の混入を防止しつつ採取できる。
【００１５】
本発明の微物採取用具に用いる保護キャップは、微物の採取後、予め貼着された第２保護シートを剥離・除去した後、粘着部に被覆されるので、粘着部に異物が混入することを防止できる。
【００１６】
本発明の微物採取方法は、異物の混入を防止して十分な採取量の微物を簡易かつ容易に採取できる。
【図面の簡単な説明】
【００１７】
【図１】本実施形態に係る微物採取用具を示す斜視図である。
【図２】本実施形態に係る微物採取用具の本体部を示す正面図である。
【図３】本実施形態に係る微物採取用具の保護キャップを示す平面図である。
【図４】本実施形態に係る微物採取用具の本体部に保護キャップが被覆された状態を示す正面図である。
【発明を実施するための形態】
【００１８】
以下、本発明を実施形態により説明する。本発明の微物採取用具１００は、図１に示すように、第１保護シート４０が貼着された本体部１０と第２保護シート７０が貼着された保護キャップ６０とから構成される。
【００１９】
図１と図２に示すように、本体部１０は、透明性のポリウレタンで形成された一端に基台２１を有する四角柱体からなる操作部２０と該操作部２０の基台２１に取着される透明性のポリウレタンゲルシート（株式会社エクシールコーポレーション社製、ゲルタックシート）からなる粘着部３０とから構成される。
【００２０】
上記のポリウレタンゲルシートは、アルコール成分と有機ポリイソシアネートとを混合させたポリウレタン組成物であって、前記アルコール成分の合計量を１００重量部とした時、官能基数２．４〜３．０、分子量３，０００〜６，０００のポリオールを９９．５〜９０重量部と、二級若しくは三級の高級モノアルコールを０．５〜１０重量部含有するポリウレタン組成物のゴム硬度３０以下の粘着性を有するゲルシートである（特許第３９１４３７３号明細書参照）。このゲルシートは、微物を採取する際の粘着性、採取後の微物の剥離性に優れ、また柔軟であるので微物の採取箇所の凹凸面への追随性に優れている。また、当該ゲルシートは可塑剤が添加されていないので、特にDNA型鑑定において、可塑剤が鑑定・検査に及ぼす影響を回避できる。
【００２１】
粘着部３０のゲルシートは、粘着性のある樹脂のゲルシートである限り、上記のポリウレタンゲルシートに限定されない。他の粘着性のあるゲルシートとして、シリコンゲルシート、ポリスチレンゲルシート、アクリルゲルシート、ポリ塩化ビニルゲルシートを例示できる。これらの中でも、粘着性、剥離性及び微物の採取箇所の凹凸面への追随性に優れ、また、可塑剤が添加されない点から上記のポリウレタンゲルシートが好ましい。
【００２２】
粘着部３０は、通常、ゲルシートの粘着性を利用して操作部２０に取着される。しかし、例えば、粘着部３０を操作部２０から剥がし、剥がした粘着部３０を検査液に浸してDNAの抽出をするDNA型鑑定の場合のように、粘着部３０を操作部２０から剥がし粘着部３０で採取した微物を鑑定・検査する場合がある。この場合、粘着部３０は、操作部２０から剥がし易い方が鑑定・検査の迅速化に資することができるので、粘着部３０の操作部２０に取着される面の粘着力を微物を採取する粘着面３１の粘着力より減弱させてもよい。粘着力を減弱させる方法として、例えば、粘着部３０の操作部２０に取着される面に予め樹脂フィルムを貼着し、当該樹脂フイルムに粘着力の弱い接着剤を塗布することにより、粘着部３０を操作部２０に取着することで行うことができる。
【００２３】
操作部２０は、手で持つことにより、粘着部３０を採取箇所に導き押圧するという微物を採取する操作を簡易かつ容易にすることができる。操作部２０は、このような微物の採取をする操作を簡易で容易にすることができる限り、上記の形態に限定されず、例えば、他の角柱体や円柱体等で形成することもできる。また、基台２１を設けない構成とすることもできる。操作部２０の素材は、通常、樹脂が好ましいが、樹脂に限定されず他の素材を用いることもできる。樹脂としては上記のポリウレタンに限定されず、種々の樹脂を用いることができ、ポリエチレン、ポリプロピレン、ポリスチレン、ポリオレフィン、ポリ塩化ビニル、ポリエステル等を例示できる。
【００２４】
図１に示すように、粘着部３０には、透明性のポリエチレンフィルムで形成された第１保護シート４０が貼着されている。第１保護シート４０は、粘着部３０の粘着面３１の面積より大きいサイズで形成されているので、粘着面３１からはみ出す箇所を利用することで剥離・除去が容易となる。第１保護シート４０は、粘着部３０に貼着ができ、微物を採取する際に剥離・除去できる限り上記のポリエチレンフイルムに特に限定されない。他の第１保護シート４０として、ポリエチレン、ポリプロピレン、ポリエステル、ポリアリレーム等の各種樹脂フイルム、ポリエチレンラミネート紙、クレコート紙、グラシン紙等の各種紙材を例示できる。
【００２５】
本体部１０は、操作部２０の両端にそれぞれ粘着部３０を取着する構成とすることもできる。
【００２６】
図１と図３に示すように、保護キャップ６０は、透明性のポリプロピレンで形成された上部に開口と縁取りを有する箱状体からなる。保護キャップ６０の開口縁には、係止突起６１が形成されるので、粘着部３０に被覆した後、保護キャップ６０が粘着部３０から外れることを防止できる。また、保護キャップ６０の底部６２には、突条６３が形成されているので、図４に示すように、保護キャップ６０の底部６２と粘着面３１との間に一定の隙間Ｓができ、粘着部３０で採取された微物が底部６２に接触し残存することを防止できる。保護キャップ６０の上部に形成された縁取りが一方向に延出しているので、この延出した箇所を利用することで、微物の鑑定・検査の際に粘着部３０に被覆された保護キャップ６０の取り外しが容易となる。
【００２７】
保護キャップ６０の素材は、上記のポリプロピレンに限定されず、種々の樹脂で形成できる。このような樹脂として、ポリエチレン、ポリスチレン、ポリオレフィン、ポリ塩化ビニル、ポリエステル等を例示できる。また、保護キャップ６０は、粘着部３０を被覆できる限り、上記の形態に限定されない。
【００２８】
図１に示すように、保護キャップ６０の内部は、透明性のポリウレタンフィルムで形成された第２保護シート７０が熱溶着により貼着されている。第２保護シート７０は、保護キャップ６０に貼着される面積より大きいサイズで形成されているので、貼着箇所からはみ出す箇所を利用することで剥離・除去が容易となる。第２保護シート７０は、保護キャップ６０に貼着でき、保護キャップ６０を粘着部３０に被覆する際に剥離・除去できる限り上記のポリウレタンフィルムに特に限定されず、第１保護シート４０と同様の各種樹脂フイルムや各種紙材で形成できる。第２保護シート７０の貼着に接着剤が用いられていないので、仮に粘着面３１が保護キャップ６０の底部６２に接触することがあっても、微物に接着剤が付着することに起因するDNA型鑑定に及ぼす影響を回避できる。
【００２９】
本実施形態に係る微物採取用具１００の第１保護シート４０が貼着された本体部１０と第２保護シート７０が貼着された保護キャップ６０は、保管袋（図示省略）に収容されている。操作部２０に粘着部３０を取着する工程、粘着部３０に第１保護シート４０を貼着する工程、保護キャップ６０に第２保護シート７０を貼着する工程は、エアーシャワー付きのクリーンルーム内で作業が行われる。
【００３０】
以下に本実施形態に係る微物採取用具１００を用いる微物採取方法を説明する。微物の採取現場にて、保管袋の封を切り、第１保護シート４０が貼着された本体部１０と第２保護シート７０が貼着された保護キャップ６０を取り出す。次いで、第１保護シート４０を剥離・除去し、操作部２０を手で持ち粘着部３０を微物の採取箇所へ導き、印鑑を押すように採取箇所に粘着部３０を複数回繰り返し押圧して微物を採取する。採取が終わったら、保護キャップ６０から第２保護シート７０を剥離・除去し、図４に示すように、保護キャップ６０で粘着部３０を被覆する。保護キャップ６０が被覆された本体部１０を前記の保管袋に収容する。保管袋を封緘後、保管袋の取り出し口にシールを貼り、微物の鑑定・検査まで開封されないことを担保する。次いで、保管袋に形成された記載欄に立会人の署名等の立証措置をとり、当該保管袋を鑑識担当者に引き渡し鑑定・検査を行う。
【００３１】
上記のように、本実施形態に係る微物採取用具１００は、粘着部３０に第１保護シート４０が貼着されて粘着面３１に異物が混入しないようにされ、微物の採取後には、第２保護シート７０が貼着され異物が混入しないようにされた保護キャップ６０が粘着部３０に被覆されるので、微物採取用具１００による微物の採取は異物の混入を防止できる。
【００３２】
上記のように構成される本実施形態に係る微物採取用具１００の具体的な効果を説明する。
（１）粘着部３０の粘着性及び微物の採取箇所の凹凸面への追随性に優れるので、従来、微物の採取が困難であった箇所からも十分な採取量の微物の採取が容易となる。例えば、痴漢事件において、微物採取用具１００を用い、従来、DNA型鑑定の資料の採取が困難であった着衣からも組織片の採取が可能となるので、被害者の着衣から被疑者の組織片を採取し、DNA型鑑定を行うことにより犯罪を立証することも可能となり、犯罪の解決に多大な貢献を期待できる。
（２）粘着部３０の剥離性に優れるので、顕微鏡等の鑑定機器を用いて行う微物の鑑定・検査に支障をきたすことがなく、犯罪の解決に多大な貢献を期待できる。
（３）異物の混入を防止して微物を採取できるので、鑑定・検査の精度を高めることができ、特にDNA型鑑定に有用で、犯罪の解決に多大な貢献を期待できる。
（４）微物の採取が簡易かつ容易に行え、専門家の鑑識担当者以外の事件現場に出向いた警察官等が採取することも可能であるため、微物の保全を迅速かつ容易に行え、円滑な微物鑑識に資することができ、ひいては犯罪の早期解決に資することが期待できる。
【実施例】
【００３３】
次いで、本発明を実施例を挙げて詳細に説明するが、本発明は以下の実施例に限定されるものではない。
【００３４】
痴漢犯罪の場合、被害者の着衣の繊維くずが被疑者の手に付着するので、被害者の着衣の繊維くずを微物として採取すると共に、被疑者の手から繊維くずを採取し、両者が同一か否かを鑑定・検査することにより痴漢犯罪の解決を図ることができる。そこで、綿の繊維くずとポリエステル繊維の繊維くずをそれぞれ手で触れ、手に付着した繊維くずを上記の微物採取用具１００（実施例）と市販の接着テープ（比較例）で採取を試み、両者で鑑定が可能な程度まで微物を採取できるか否か試験を行った。試験結果は、表１及び表２に示した。
【００３５】
【表１】
2011117915.tif 000003
【００３６】
【表２】
2011117915.tif 000004
【００３７】
表１に示すように、綿の繊維くずの場合、実施例では１秒と短時間の接触でも手に付着した繊維くずを鑑定ができる程度に採取できたが、比較例では３０秒以上の接触がないと鑑定ができる程度に採取できなかった。したがって、実施例の微物採取用具１００は、被疑者の痴漢行為に及ぶ時間の長短に拘わらず、犯罪の立証が可能である。また、表２に示すように、ポリエステル繊維の繊維くずの場合、実施例では１秒と短時間の接触でも手に付着した繊維くずを鑑定ができる程度に採取できたが、比較例では６０秒の接触でも鑑定ができる程度に採取できなかった。したがって、実施例の微物採取用具１００は、被害者の着衣の素材の種類を問わず、犯罪の立証が可能である。手のような凹凸面のある採取箇所からも微物を十分に採取できるという結果から、本発明の微物採取用具１００は、粘着性及び微物の採取箇所の凹凸面への追随性に優れ、微物鑑識に極めて有用であることが分かった。
【符号の説明】
【００３８】
１０        本体部
２０        操作部
３０        粘着部
４０        第１保護シート
６０        保護キャップ
７０        第２保護シート
１００      微物採取用具
【図１】
2011117915.tif 000005
【図２】
2011117915.tif 000006
【図３】
2011117915.tif 000007
【図４】
2011117915.tif 000008